(57)【要約】【課題】屋外設置の配電盤は太陽光熱、太陽光の浸透熱、収納機器の発熱等により配電盤として内部温度上昇による収納機器の寿命及び性能に限界があった。【解決手段】機器が収容され天井部２に通気口８ａを有する筺体１と、この筺体の天井部に該筺体に対して回動可能に設けられ、閉じたときに上記天井部を塞ぎ、開いたときに上記天井部を開放する天井開閉ユニット３と、この天井開閉ユニットを開閉させる駆動装置４と、上記筺体内部の温度を検知する温度センサ５と、この温度センサの検知結果に応じて上記駆動装置を制御する制御装置６とを備えるようにした。【選択図】図１
2011176900.tif 000002
【特許請求の範囲】
【請求項１】
機器が収容され天井部に通気口を有する筺体と、上記筺体の天井部に該筺体に対して回動可能に設けられ、閉じたときに上記天井部を塞ぎ、開いたときに上記天井部を開放する天井開閉ユニットと、この天井開閉ユニットを開閉させる駆動装置と、上記筺体内部の温度を検知する温度センサと、この温度センサの検知結果に応じて上記駆動装置を制御する制御装置とを備えたことを特徴とする屋外形配電盤。
【請求項２】
上記天井開閉ユニットは、上面に太陽光を反射させる遮熱塗料が塗布されてなることを特徴とする請求項１記載の屋外形配電盤。
【請求項３】
上記天井部は、複数の上記通気口を有し、周囲が上記筺体の上端部に固定された天井板からなることを特徴とする請求項１または請求項２記載の屋外形配電盤。
【請求項４】
上記天井開閉ユニットは、周囲４方が側板で囲まれ上記筺体における後方側が低くなるように傾斜した屋根状に形成され、上記筺体の後方側に設けられたヒンジによって回動可能に支持されていることを特徴とする請求項１から請求項３の何れかに記載の屋外形配電盤。
【請求項５】
上記駆動装置は、圧縮空気により動作するものであることを特徴とする請求項１から請求項４の何れかに記載の屋外形配電盤。
【発明の詳細な説明】
【技術分野】
【０００１】
本発明は、屋外に設置される屋外形配電盤に関し、さらに詳細には筺体内部の温度上昇を抑制した屋外形配電盤に関するものである。
【背景技術】
【０００２】
従来の屋外形配電盤として、筺体を構成する屋根板と側面の外枠体に各々平行になるように通気路となる空間を設けて伝熱性内装材を張設させ天井部と壁体を形成し、この天井部と屋根及び壁体と外枠体とを断面クランク状の金属板からなる伝熱板で連結させ、更に筺体底部に適宜間隔を設けて板体でもって区分した通線ダクト部を設けるようにしたものがある（例えば特許文献１参照）。
【先行技術文献】
【特許文献】
【０００３】
【特許文献１】実公平１−１３４７０号公報（第１頁、第３図）
【発明の概要】
【発明が解決しようとする課題】
【０００４】
上記のような従来技術による屋外形配電盤は、太陽熱等の外部輻射熱に対して、シールド効果を大きくし、過酷な環境条件に適用できるとはいうものの、内部に収容された機器からの発熱が大きい場合などにおいては、外気温度や太陽光などの悪条件が重なったときに筺体内部の温度が望ましい限度を超える程度に上昇し、収納機器の寿命や信頼性に影響が出るという問題があった。
【０００５】
この発明は上記のような実情に鑑みてなされたもので、収容機器からの発熱や過酷な温度条件に晒されても筺体内部の温度上昇が抑制され収納機器の寿命や信頼性を確保できる屋外形配電盤を得ることを目的としている。
【課題を解決するための手段】
【０００６】
この発明に係る屋外形配電盤は、機器が収容され天井部に通気口を有する筺体と、上記筺体の天井部に該筺体に対して回動可能に設けられ、閉じたときに上記天井部を塞ぎ、開いたときに上記天井部を開放する天井開閉ユニットと、この天井開閉ユニットを開閉させる駆動装置と、上記筺体内部の温度を検知する温度センサと、この温度センサの検知結果に応じて上記駆動装置を制御する制御装置とを備えるようにしたものである。
【発明の効果】
【０００７】
この発明においては、筺体内部の温度が高くなると、温度センサがそれを検知して天井開閉ユニットを開いて、筺体内部の熱を筺体の天井部から逃がすようにしたので、太陽光による熱や収容された機器の発熱による筺体内部の温度上昇が抑制され収納機器の寿命や信頼性を確保できる。
【図面の簡単な説明】
【０００８】
【図１】本発明の実施の形態１に係る屋外形配電盤の要部を概念的に示す側面図。
【図２】図１に示されたヒンジ部を背面側から見た後面図。
【図３】図１に示す破線の円Ａで囲まれたヒンジ部を拡大して示す側面図。図２のＩＩＩ−ＩＩＩ線における矢視断面図に相当する。
【図４】図２に示された受金を示す斜視図。
【図５】図１に示された筺体の天井部を示す斜視図。
【図６】図１に示されたヒンジ部の変形例を背面側から見た後面図。
【図７】図６に示された受金を示す斜視図。
【図８】図６に示されたヒンジピン近傍を拡大して示す図。
【発明を実施するための形態】
【０００９】
実施の形態１．
以下、本発明の実施の形態１に係る屋外形配電盤について図面を参照して説明する。実施の形態１に係る屋外形配電盤は、図１の側面図に示すように、電気回路を開閉するための開閉機器や制御回路など、何れも図示省略している各種機器が収容された筺体１と、この筺体１の天井部２に回動可能に設けられ、太陽光の反射率が高い遮熱塗料が塗布された天井開閉ユニット３と、天井開閉ユニット３を開閉動作させる駆動装置４と、筺体１の内部の上方部に設置された筺体１の内部の温度を検知する温度センサ５と、この温度センサ５の出力に応じて駆動装置４を制御する制御装置６などを用いて構成されている。なお、この例では図１の左側が前面部である。筺体１の背面側には鎧状の通気口１ａが設けられている。通気口１ａの内側には、虫などの異物の侵入を防ぐ図示省略しているフィルタが設置されている。
【００１０】
上記天井開閉ユニット３は、閉じた状態で後方側が低くなるような所定の勾配が設けられた屋根状に形成されており、周囲にはそれぞれ前板３ａ、側板３ｂ、及び後板３ｃなどの側板が取り付けられている。前板３ａには天井開閉ユニット３の内部空間を外気に連通させる鎧状の通気口３ｄが設けられており、さらに前板３ａの下部には、異物などの侵入を防ぐカバー板３ｅが固定されている。そして、天井開閉ユニット３は、図２〜図４に示す、左右の側板３ｂの後端部相互を連結する如く設けられた金属製の丸棒状の支軸７ａ（図３）と、筺体１の奥側上端に溶接あるいはボルト等によって固定され、支軸７ａを回動可能に支持する切欠穴が設けられたＬ字形の一対の受金７ｂ（図４）からなるヒンジ７によって、筺体１に対して回動可能に支持されている。
【００１１】
なお、上記ヒンジ７は図６〜図８に示す変形例のように構成しても良い。即ち、支軸７ａを図７に示すように、側板３ｂに溶接により固定された短いピン７ｃに変更し、受金７ｂを図８に示すように、切欠穴を丸穴に変更したＬ字形の受金７ｄに変更し、図６に示すように筺体１上に取り付ける。なお、必要に応じてピン７ｃにスナップリングなどを設けて軸方向への移動を規制するようにしても良い。この変形例の場合、ヒンジ７のピン７ｃが受金７ｄの丸穴に係合されているので、天井開閉ユニット３が強風などに対して外れる恐れをなくすことができる。
【００１２】
図５の斜視図は、天井開閉ユニット３や受金７ｂなどを取り外したときの筺体１の天井部２を示している。筺体１の上端部にはスリット状の複数の通気口８ａを有する天井板８が一体的に固定されている。このため、天井開閉ユニット３が筺体１とは別に形成されていても剛性が保持されるように構成されている。なお、通気口８ａには、虫やごみなどの異物の侵入を防ぐ図示省略しているフィルタが設置されている。また、天井板８の上面部の通気口８ａよりも外側周囲部には、図示省略しているパッキング等のシーリング部材が設けられており、天井開閉ユニット３を閉じたときに該シーリング部材によって天井板８との間の隙間が塞がれるように構成されている。なお、天井開閉ユニット３を閉じたときには、筺体１の通気口３ｄから流入した空気は筺体１内を通って通気口８ａ、天井開閉ユニット３の内部空間、及び通気口３ｄを通って外気に放出される。
【００１３】
上記駆動装置４は、この例では空気を圧縮するコンプレッサ４ａと、筺体１の天井部と天井開閉ユニット３の間に設置され、圧縮空気により膨張して天井開閉ユニット３を押し上げるようにヒンジ７の周りに回動させるバルーン４ｂと、コンプレッサ４ａによって圧縮された空気をバルーン４ｂに送る空気パイプ４ｃと、空気パイプ４ｃの途中に介装された電磁駆動される３方弁４ｄからなっている。
【００１４】
制御装置６は、温度センサ５によって検知された筺体１内の温度に対応する信号が所定のレベルを超えたときに３方弁４ｄを、流路が図の上下方向にのみ連通するように切り替えた後、コンプレッサ４ａを駆動させて、空気パイプ４ｃから圧縮空気を所定時間バルーン４ｂに送ってバルーン４ｂを膨張させ、天井開閉ユニット３を予め設定された所定角度開く。一方、温度センサ５によって検知された信号が所定のレベルを下回ると、３方弁４ｄの流路を、バルーン４ｂ側が外気に連通するように切り替えて、バルーン４ｂ内の空気を３方弁４ｄから外部に流出させる。なお、空気圧が消失すると天井開閉ユニット３は自重で下降し、天井板８の通気口８ａを塞ぐ。
【００１５】
次に、上記のように構成された実施の形態１の動作について説明する。なお、通常時においては、天井開閉ユニット３は天井部２を塞いだ状態となっている。筺体１内の温度は、内部に収容された機器類から発生した熱、外気温、日射による太陽光などにより上昇するが、側壁の通気口１ａから流入した外気が天井板の通気口８ａ、天井開閉ユニット３の内部空間を経て通気口３ｄへ抜けること、及び天井開閉ユニット３の外表面に遮熱塗料が塗布されていることによって筺体１内部の温度上昇が抑えられている。なお、筺体１の内部の温度は温度センサ５によって、制御装置６で計測されている。
【００１６】
例えば夏季など、外気温が設置地域の平年値よりも大きく上昇し、さらに太陽光の直接照射等による天井部２からの透過熱が大きくなって、筺体１の内部温度が予め設定された所定の温度以上になると、制御装置６に設けられた図示省略しているリレーが働き、３方弁４ｄを、流路が図の上下方向にのみ連通するように切り替えた後、設定された時間コンプレッサ４ａを駆動して圧縮空気を空気パイプ４ｃからバルーン４ｂに送る。バルーン４ｂは空気圧によって膨張し、天井開閉ユニット３が予め設定された所定角度押し上げられる。これにより、天井開閉ユニット３が天井部２から開いた状態になることにより、筺体１の通気口８ａから筺体１内に篭っていた暖められた空気が煙突効果により通気口８ａを通じて活発に外に出て行き、筺体１内の温度を下げることが可能となる。
【００１７】
なお、屋外形配電盤を設置するときに、予め設置する地方の緯度や方位あるいは気象データの統計情報などを考慮して天井開閉ユニット３の開放時を含めた傾斜角度を、太陽の反射光の割合が増えるように設定することで、その外表面に塗布されている遮熱塗料による太陽光の反射効果を高め、透過熱量を軽減することができる。また、天井開閉ユニット３が開いたとき、カバー板３ｅが設けられていることにより、大きな異物、鳥などが隙間から侵入するのを防止できる。また、筺体１の内部の温度が所定のレベルを下回ると、温度センサ５が検知して制御装置６は３方弁４ｄの流路を外気に連通するように切り替え、バルーン４ｂ内の空気を外部に流出される。すると、天井開閉ユニット３は自重で下降し、図示省略しているシーリング部材によって天井板８の通気口８ａの外周囲が塞がれる。
【００１８】
上記のように、実施の形態１によれば、天井開閉ユニット３を開閉可能とし、筺体１の内部の温度が高くなると、温度センサ５がそれを検知して天井開閉ユニット３を開いて、筺体１の内部の熱を筺体の天井部２から直接外へ逃がすように構成したので、配電盤が１日中太陽光に晒されるような厳しい場所に設置された場合でも、日射による熱や収容された機器の発熱による筺体１の内部の温度上昇が抑制される。このため、収納された機器の寿命が延びて耐久性も向上し、信頼性も確保できる。また、駆動装置４として、圧縮空気を利用した駆動手段を用いるようにしたので、天井開閉ユニット３の重量が重い場合でも動作を容易にできる。
【００１９】
また、天井部２を、スリット状の複数の通気口８ａを有する天井板８によって構成したので、筺体１の剛性が保持される。また、例えば中緯度の温帯地域などに設置される場合、年間を通じて天井開閉ユニット３は閉じられている期間の方が長いが、その天井開閉ユニット３が閉じられているときに、天井板８との周囲を図示省略しているシーリング部材で塞ぐようにしたので、周囲からの異物の侵入を防ぐことができる。また、天井開閉ユニット３を傾斜させて、積もった積雪、異物等の除去をも容易に行うことが可能になる。また、無人で管理することが可能となる。
【００２０】
なお、上記実施の形態では、駆動装置４として、コンプレッサ４ａとバルーン４ｂを用いたものについて説明したが、勿論これに限定されるものではなく、例えば電動モータやアクチュエータなどを用いたものでも差し支えない。また、温度センサ５を天井開閉ユニット３の下部に配設したが、天井板８の下部などに設けても差し支えない。また、天井開閉ユニット３が開いたときの状態を保持するためにラッチ機構を付加し、その状態を解除するために引外し装置を付加するようにしても良い。
【００２１】
また、前板３ａを下方向に伸ばしてカバー板３ｅを省略しても良い。さらに、筺体１の屋根部分全体を開閉するようにしたが、天井開閉ユニット３を屋根の一部を開閉するように構成し、天井開閉ユニット３を開くときの角度を外気温との温度差に応じて可変に構成し、天井開閉ユニット３の傾斜を逆に構成し、あるいはヒンジ７の設置位置を逆にして筺体１の後部側を開くように構成するなど、この発明の範囲内で種々の変形や変更が可能であることは言うまでもない。
【符号の説明】
【００２２】
１  筺体、  １ａ  通気口、  ２  天井部、  ３  天井開閉ユニット、  ３ａ  前板、  ３ｂ  側板、  ３ｃ  後板、  ３ｄ  通気口、  ３ｅ  カバー板、  ４  駆動装置、  ４ａ  コンプレッサ、  ４ｂ  バルーン、  ４ｃ  空気パイプ、  ４ｄ  ３方弁、  ５  温度センサ、  ６  制御装置、  ７  ヒンジ、  ７ａ  支軸、  ７ｂ  受金、  ７ｃ  ピン、  ７ｄ  受金、  ８  天井板、  ８ａ  通気口。
【図１】
2011176900.tif 000003
【図２】
2011176900.tif 000004
【図３】
2011176900.tif 000005
【図４】
2011176900.tif 000006
【図５】
2011176900.tif 000007
【図６】
2011176900.tif 000008
【図７】
2011176900.tif 000009
【図８】
2011176900.tif 000010